(57)【要約】      （修正有）【課題】コンセントプラグ部材とケーブルを一緒に持ち運ぶことができると共に、ケーブルが強く巻回できることで、ケーブルを巻回した状態をよりコンパクトにすることができるコンセントプラグ部材用カバーを提供する。【解決手段】コンセントプラグ部材を開口から挿入穴に挿入可能な挿入部と、挿入部の後端から連続して後方に向かって形成された頭部とを有する。挿入穴の後端と連通し、頭部の後端まで貫通して形成されたケーブル挿込穴を備え、挿入部の外径が頭部の外径より細く形成されて境界に段差が設けられ、挿入部の外周面がケーブル巻回し面に形成される。【選択図】図１
0003181329.tif 000002
【実用新案登録請求の範囲】
【請求項１】
コンセントプラグが前端面から前方に向かって突出して設けられる共にケーブル接続端子が後端面に設けられたコンセントプラグ部材の外周面を被覆可能なコンセントプラグ部材用カバーであって、
前記コンセントプラグ部材用カバーは、
前端で開口して前後軸方向に沿って形成された挿入穴を備え、コンセントプラグ部材を前記挿入穴に挿入可能な挿入部と、
前記挿入部の後端から連続して後方に向かって形成された頭部と、
前記挿入穴の後端と連通し、前記頭部の後端まで貫通して形成されたケーブル挿込穴を備え、
前記挿入部の外径が前記頭部の外径より細く形成されて境界に段差が設けられ、
前記挿入部の外周面がケーブル巻回し面である
ことを特徴とするコンセントプラグ部材用カバー。
【請求項２】
前記ケーブル挿込み穴は前記挿入穴よりも内径が小さく形成される
ことを特徴とする請求項１に記載のコンセントプラグ部材用カバー。
【請求項３】
前記頭部に、ケーブル巻回し面に巻回したケーブルの一部を挟持可能に一端が開放して形成されたケーブル挟持スリットが設けられてなる
ことを特徴とする請求項１若しくは２に記載のコンセントプラグ部材用カバー。
【考案の詳細な説明】
【技術分野】
【０００１】
本願考案は、ケーブル接続端子を備えたコンセントプラグ部材用カバーに関する。
【背景技術】
【０００２】
近年普及が進んでいる携帯型情報端末の充電用ケーブルは、充電のために電気の供給を受ける媒体をコンセントプラグ部材、パーソナルコンピュータ若しくは充電用蓄電池の何れかを選択できるように接続端子を備えたものがよく用いられている。これらの媒体の中でも特にコンセントプラグ部材は壁などに設置されている電気コンセントに直接接続できることで安定した充電機能を発揮できるものであると共に持ち運びに容易な大きさに形成されたものが多く、充電用ケーブルと共に日常的に携帯されて用いられている。
【考案の概要】
【考案が解決しようとする課題】
【０００３】
しかし、従来においては前記コンセントプラグ部材と充電用ケーブルは別々に持ち運ばれており、鞄の収納スペースを余分に占有したり、又、一方を置き忘れたりすることがあるという問題があった。
【課題を解決するための手段】
【０００４】
そこで、上記課題を解決するための手段として本願考案に係るコンセントプラグ部材用カバーは、コンセントプラグが前端面から前方に向かって突出して設けられる共にケーブル接続端子が後端面に設けられたコンセントプラグ部材の外周面を被覆可能なコンセントプラグ部材用カバーであって、前記コンセントプラグ部材用カバーは、前端で開口して前後軸方向に沿って形成された挿入穴を備え、コンセントプラグ部材を前記挿入穴に挿入可能な挿入部と、前記挿入部の後端から連続して後方に向かって形成された頭部と、前記挿入穴の後端と連通し、前記頭部の後端まで貫通して形成されたケーブル挿込穴を備え、前記挿入部の外径が前記頭部の外径より細く形成されて境界に段差が設けられ、前記挿入部の外周面がケーブル巻回し面であることを特徴とする。
【０００５】
挿入部には、コンセントプラグを前方に向けた状態のコンセントプラグ部材を、開口から挿し入れることができる。
【０００６】
また本願考案は、前記ケーブル挿込み穴は前記挿入穴よりも内径が小さく形成されていても好ましい。ケーブル挿込み穴をこのように形成することで、挿込み穴に挿し入れたコンセントプラグ部材の後端外縁がケーブル挿込み穴と挿入穴との境界面に当接し、後端部がケーブル挿込み穴にまで入り込むことを防止することができる。その結果、挿入穴の前後長さをコンセントプラグ部材のプラグ部を除いた長さと同じに、若しくはそれよりも短く設定しておくことで、コンセントプラグ部材を挿入穴へ挿入した際に、コンセントプラグ部材を容易に最適な位置で止めることができる。
【０００７】
さらにまた、前記頭部に、ケーブル巻回し面に巻回したケーブルの一部を挟持可能に一端が開放して形成されたケーブル挟持スリットが設けられていても好ましい。ケーブル挟持スリットが設けられていることによって、巻回した後に短く巻き残ったケーブルの端部をケーブル挟持スリットの開放端から挿し入れて挟み込ませ、固定することができる。
【０００８】
なおケーブル挟持スリットは、頭部の後端が解放する形状に形成されていることが好ましい。このような形状に形成することにより、挿し入れる際のケーブルと狭持スリットとの摩擦抵抗が少なく、容易にケーブルを挿し入れて固定することができる。
【０００９】
ケーブル端狭持スリットにケーブルの端部を挟み込んでおくことで、持ち歩いている最中にケーブル巻回し面に巻回したケーブルがほどけてしまうことを防止することができる。
【００１０】
ケーブル巻回し面は、挿入部の外径を頭部の外径よりも細く形成して、挿入部の外周面をケーブル巻回し面とすることとしたものである。これにより、ケーブル巻回し面に巻回したケーブルは、挿入部よりも外径が太く形成された頭部によって巻回範囲が限定されるため、ケーブルをコンパクトに巻回することができる。
【００１１】
また、ケーブル狭持スリットが頭部に形成されている場合にも、巻回したケーブルの端部をケーブル狭持スリットに挿し入れるために頭部方向にケーブルの端部を引っ張ったとしても巻回されたケーブルが挿入部よりも外径が太く形成された頭部によってずれ動くことがない。
【００１２】
また、ケーブルを巻回する際には挿入部の内部にコンセントプラグ部材が挿入されているため、ケーブルを強く巻回してもコンセントプラグ部材が芯材の役割を果たすことによって挿入部の形状が変形することがない。ケーブルを強く巻回することができることによって、コンセントプラグ部材が挿入されてケーブルが巻回された本願考案を携帯する際にもケーブルがほどけにくく、また、コンセントプラグ部材とケーブルを別々に持ち運ぶよりもコンパクトな状態で持ち運ぶことができる。さらに、ケーブル狭持スリットが形成されていれば、強く巻回したケーブルの端部を挟み込んで固定することができるため、より一層巻回したケーブルはほどけにくい状態に保持して本願考案に係るコンセントプラグ部材用カバーを持ち運びすることができる。
【００１３】
ケーブル挿込穴は、挿入穴の後端と連通して形成された穴であり、挿入穴中にコンセントプラグ部材を挿入すると、挿入穴とケーブル挿込穴との境界部にコンセントプラグ部材の後端面に設けられたケーブル接続端子を露出させることができる。またケーブル挿込穴は、頭部の後端まで貫通するように形成されているので、携帯型情報端末を充電する際には、本願考案に係るコンセントプラグ部材用カバーをコンセントプラグ部材から取り外すことなくケーブルの結合端子を頭部の後端から挿し入れて、ケーブルの結合端子とケーブル接続端子とを接続させることができる。
【考案の効果】
【００１４】
本願考案によれば、コンセントプラグ部材とケーブルを一緒に持ち運ぶことができるので、コンセントプラグ部材若しくはケーブルの何れかを置き忘れてしまうことを防止することができる。
【００１５】
また、挿入部の外周面をケーブル巻回し面とすることにより、コンセントプラグ部材が挿入された挿入部にケーブルを巻回することができるため、ケーブルを強く巻回してほどけにくくすることができる。
【００１６】
さらにまた、挿入部にコンセントプラグ部材を挿入することで、ケーブル巻回し面においてケーブルが強く巻回でき、ケーブルを巻回した状態をよりコンパクトにすることができる。
【図面の簡単な説明】
【００１７】
【図１】コンセントプラグ部材２、コンセントプラグ部材用カバー１、及びケーブル９を前後方向に分離した状態における斜視図を示す図である。
【図２】コンセントプラグ部材２、コンセントプラグ部材用カバー１、及びケーブル９を前後方向に分離した状態におけるＡ−Ａ縦断面を示す図である。
【図３】コンセントプラグ部材２を挿入した挿入部４にケーブル９を巻回した状態のコンセントプラグ部材用カバー１を示す斜視図、及び一点鎖線で囲われた領域内にはケーブル９が挿し込まれた状態のケーブル狭持スリット１２及び該スリット周辺部を、板状部１１の少し外側から見た部分拡大断面図を示す図である。
【図４】コンセントプラグ部材２を挿入した挿入部４にケーブル９を巻回した状態のコンセントプラグ部材用カバー１のＢ−Ｂ縦断面図である。
【考案を実施するための形態】
【００１８】
以下、本願考案に係る実施の形態を、図を参照しながら詳しく説明する。
【００１９】
コンセントプラグ部材用カバー１は、図１及び図２に示すように、コンセントプラグ部材２を前端の開口から挿入可能な挿入穴３が形成された挿入部４を前部に有し、当該挿入部４の後端に連接して形成された頭部５を備える。
【００２０】
挿入穴３は頭部５に形成されているケーブル挿込穴６に連通しており、挿入穴３の前端から及びケーブル挿込穴６の後端にかけてコンセントプラグ部材用カバー１を前後方向に貫通してなる。
【００２１】
頭部５は挿入部４の外径よりも大きく形成されており、挿入部４と頭部５との境界７において段差８が形成されている。
【００２２】
挿入部４の外周面はケーブル巻回し面１０となっており、コンセントプラグ部材用カバー１を用いてケーブル９を持ち運ぶ際には、図２に示すようにケーブル巻回し面１０にケーブル９を巻回した状態で携帯して持ち運ぶことができる。このとき、ケーブル９を接続して使用するコンセントプラグ部材２は挿入穴３に挿入したままの状態で持ち運ぶことができ、コンセントプラグ部材用カバー１を用いることでケーブル９とコンセントプラグ部材２とを一体的に持ち運ぶことができる。
【００２３】
ケーブル９は挿入穴３にコンセントプラグ部材２を挿入した状態でケーブル巻回し面１０に巻回することができる。従ってコンセントプラグ部材２は挿入部２の芯材としての役割を果たすため、ケーブル９を強く巻回しても挿入部２は径方向に変形することがなく、使用者はケーブル９を強固に巻回して固定することができる。
【００２４】
頭部５の正面及び後面は後方向に延出して形成された板状部１１を有してなり、当該板状部１１にはケーブル狭持スリット１２が形成されている。ケーブル狭持スリット１２は板状部１１の左右両側端部にそれぞれ設けられており、板状部１１の側端面に形成された開放端１３から板状部１１の中心方向に向かって形成されている。開放端１３はケーブル９の外径よりも僅かに狭く形成されており、ケーブル９を固定する際には、開放端１３からケーブル９の端部を挿し入れて、ケーブル狭持スリット１２の終端まで押し込み、ケーブル９の外径とほぼ同一形状に形成された拡開終端部１４にケーブル９を嵌め込んで固定することができる。
【００２５】
ここで、ケーブル巻回し面１０にケーブル９を巻回した使用者は、巻回残りとなったケーブルの端部１５を頭部５方向に引っ張り、前記のようにケーブル９をケーブル狭持スリット１２に固定する。この際、挿入部４と頭部５との境界７に形成された段差８が巻回されたケーブル９が頭部５方向へ引っ張られることでほどけてしまうのを防止することができる。従って、使用者が特に注意を払わなくともケーブル９をケーブル巻回し面１０に整然と巻回させた状態でケーブルの端部１５をケーブル狭持スリット１２に固定させることができ、使用者は安定した巻回状態を保ってコンセントプラグ部材用カバー１を用いることでケーブル９とコンセントプラグ部材２とを一体的に持ち運ぶことができる。
【００２６】
また、ケーブルの他端部に設けられた接続端子１６は、図４に示すようにコンセントプラグ部材２を挿入穴２に挿入した状態でケーブル挿込穴６からコンセントプラグ部材２の後端部に設けられた接続ジャック１７に接続することができる。
【００２７】
従って、使用者は接続端子１６を接続ジャック１７に接続した状態のままケーブル９をケーブル巻回し面１０に巻回してケーブル９とコンセントプラグ部材２とを一体的に持ち運ぶことができる。さらに、ケーブル９の使用時においてもケーブル端部１５をケーブル狭持スリット１２から取り外せばケーブル９を容易に引き伸ばしてケーブル９を携帯型情報端末に接続することができると共に、コンセントプラグ部材２は挿入部４内に挿入したままコンセントプラグをコンセントに差し込むことによって素早く携帯型情報端末の充電等に使用することができる。
【符号の説明】
【００２８】
１    コンセントプラグ部材用カバー
２    コンセントプラグ部材
３    挿入穴
４    挿入部
５    頭部
６    ケーブル差込穴
８    段差
９    ケーブル
１０  ケーブル巻回し面
１２  ケーブル狭持スリット
【図１】
0003181329.tif 000003
【図２】
0003181329.tif 000004
【図３】
0003181329.tif 000005
【図４】
0003181329.tif 000006